(57)【要約】【課題】  馬鈴薯等の農作物の掘り取りとカバークロップの播種を同時に行う。【解決手段】  前端に鍬３を備えた土篩コンベヤ２を走行機体に前屈みに取り付け、種子Ｓを貯溜したホッパー４を走行機体に設け、その吐出口６ａを土篩コンベヤ２の先端部で隆起した土上に種子Ｓが吐出されるように設ける。鍬３を畦土Ｇに埋入して走行機体を走行させると、鍬３で畦土Ｇの一部が土篩コンベヤ２の先端部に隆起しながら土中の農作物Ｐが掘り取られる。掘り取られた農作物Ｐは土篩コンベヤ２に拾い上げられ、付着している土は土篩コンベヤ２で振い落とされる。その掘り取りと並行して、ホッパー４内の種子Ｓが隆起した土上に吐出され、その種子Ｓと土が土篩コンベヤ２で混和しながら畦土Ｇに落下する。【選択図】  図３
2012200173.tif 000002
【特許請求の範囲】
【請求項１】
前端に鍬を備えた土篩コンベヤを走行機体に前屈みに取り付け、その鍬を畦土に埋入して走行しながら土中の農作物を掘り取り、土篩コンベヤで土を篩い落としながら農作物を拾い上げる農作物掘取機において、種子又は肥料を貯溜するホッパーを走行機体に設け、そのホッパーの吐出口を土篩コンベヤの先端部で隆起した土上に種子又は肥料が吐出されるように設け、その吐出した種子又は肥料が土と混和して畦土に落下されるようにしたことを特徴とする、農作物掘取機。
【請求項２】
ホッパーの吐出口を鍬の先端から土篩コンベヤに沿って２０〜４０ｃｍ後方の位置に配置した、請求項１記載の農作物掘取機。
【請求項３】
ホッパーの吐出口に種子又は肥料を畦土の幅方向へ拡散させる拡散板を設けた、請求項１又は２記載の農作物掘取機。
【請求項４】
土篩コンベヤと連動してホッパー内の種子又は肥料を送り出す送出機を設けた、請求項１〜３いずれか記載の農作物掘取機。
【請求項５】
種子がカバークロップ栽培用の種子である、請求項１〜４いずれか記載の農作物掘取機。
【発明の詳細な説明】
【技術分野】
【０００１】
本発明は、播種機能を備えた農作物掘取機に関する。
【背景技術】
【０００２】
農作物を栽培しない時期に別の植物を作付けし、その植物で表土を被覆して土壌の流亡を防止するカバークロップ栽培がある。その播種時期は、梅雨時の土壌流亡防止効果やカバークロップの草生量確保を考慮し、４月中旬〜６月中旬に行われるのが一般的である。
【０００３】
ところで、農作物が春作の馬鈴薯の場合、その収穫時期とカバークロップの播種時期が重なってカバークロップ栽培の実施が困難となり、他作物と比較してカバークロップ栽培が普及しない原因になっている。本発明は、特許文献１に示されるような農作物掘取機に播種機能を付加し、馬鈴薯等の農作物の掘り取りとカバークロップの播種を同時に行えるようにしたものである。
【先行技術文献】
【特許文献】
【０００４】
【特許文献１】特開２００４−２５４５８２号公報
【発明の概要】
【発明が解決しようとする課題】
【０００５】
本発明が解決しようとする課題は、従来のこれらの問題点を解消し、馬鈴薯等の農作物の掘り取りとカバークロップの播種を同時に行えるようにすることにある。
【課題を解決するための手段】
【０００６】
かかる課題を解決した本発明の構成は、
１）  前端に鍬を備えた土篩コンベヤを走行機体に前屈みに取り付け、その鍬を畦土に埋入して走行しながら土中の農作物を掘り取り、土篩コンベヤで土を篩い落としながら農作物を拾い上げる農作物掘取機において、種子又は肥料を貯溜するホッパーを走行機体に設け、そのホッパーの吐出口を土篩コンベヤの先端部で隆起した土上に種子又は肥料が吐出されるように設け、その吐出した種子又は肥料が土と混和して畦土に落下されるようにしたことを特徴とする、農作物掘取機
２）  ホッパーの吐出口を鍬の先端から土篩コンベヤに沿って２０〜４０ｃｍ後方の位置に配置した、前記１）記載の農作物掘取機
３）  ホッパーの吐出口に種子又は肥料を畦土の幅方向へ拡散させる拡散板を設けた、前記１）又は２）記載の農作物掘取機
４）  土篩コンベヤと連動してホッパー内の種子又は肥料を送り出す送出機を設けた、前記１）〜３）いずれか記載の農作物掘取機
５）  種子がカバークロップ栽培用の種子である、前記１）〜４）いずれか記載の農作物掘取機
にある。
【発明の効果】
【０００７】
本発明では、ホッパーに種子又は肥料を投入し、鍬を畦土に埋入して走行機体を走行させると、鍬で畦土の一部が土篩コンベヤの先端部に隆起しながら土中の農作物が掘り取られる。掘り取られた農作物は土篩コンベヤに拾い上げられ、付着している土は土篩コンベヤで振い落とされる。その掘り取りと並行して、ホッパー内の種子又は肥料が隆起した土上に吐出され、その種子又は肥料と土が土篩コンベヤで混和しながら畦土に落下する。
【０００８】
このように、農作物の掘り取りと播種を同時に行うことができて従来の播種作業が省力化されるから、農作物の収穫時期とカバークロップの播種時期が重なってもカバークロップ栽培を実施し易くなる。
【図面の簡単な説明】
【０００９】
【図１】実施例の農作物掘取機の説明図である。
【図２】実施例のホッパーと送出機の一部切欠き説明図である。
【図３】実施例の農作物の掘り取りと播種を示す説明図である。
【図４】実施例の他の例の拡散板の説明図である。
【発明を実施するための形態】
【００１０】
本発明のホッパーの吐出口は、鍬の先端から土篩コンベヤに沿って２０〜４０ｃｍ後方の位置に配置するのが望ましい。２０ｃｍより前方であると、種子又は肥料が土の隆起時にその両脇に寄ってしまい、畦土全体に均一に播けないという問題あり、４０ｃｍより後方であると、隆起した土が先に落下し、その後に種子又は肥料が畦土の表面に落下して土と良く混ざらず、覆土効果がなくなるという問題ある。また、吐出口の下方に拡散板を設けると、吐出した種子又は肥料が畦土の幅方向へ拡散して満遍なく落下し、生長範囲にムラが生じ難くなる。なお、本発明でいう肥料とは、粒状や液状の一般的な肥料の他、堆肥や有効菌も含む。
【００１１】
以下、本発明を実施するための形態を実施例と図面に基づいて具体的に説明する。
【実施例】
【００１２】
図１は実施例の農作物掘取機の説明図、図２は実施例のホッパーと送出機の一部切欠き説明図、図３は実施例の農作物の掘り取りと播種を示す説明図である。図中、１は走行機体、１ａはエンジン、１ｂは車輪、２は土篩コンベヤ、２ａは駆動軸、３は鍬、４はホッパー、５は送出機、５ａは回転体、５ｂはポケット、５ｃはギヤ、５ｄはチェーン、５ｅはブラシ、５ｆはスクレーパー、６はホース、６ａは吐出口、Ｇは畦土、Ｐは農作物（馬鈴薯）、Ｓは種子である。
【００１３】
本実施例の走行機体１は、図１に示すように、エンジン１ａの動力で回転する車輪１ｂを左右に有し、作業者が後方で操作しながら走行するものである。土篩コンベヤ２は、土と種子Ｓは通過できるが農作物Ｐは通過できない梯子状で、前端に鍬３を突設し、走行機体１の下部に前屈みに取り付けてエンジン１ａの動力で往路が後向きに回動するようになっている。
【００１４】
ホッパー４は、図２に示すように、送出機５に脱着可能に取り付け、その送出機５を走行機体１の上部に取り付けている。送出機５は、外周にポケット５ｂを備えた回転体５ａと、その回転体５ａに軸着したギヤ５ｃとを備え、そのギヤ５ｃと土篩コンベヤ２の駆動軸２ａとの間にチェーン５ｄを掛架して土篩コンベヤ２と連動するようになっている。また、回転体５ａの送り側には種子Ｓをポケット５ｂに定量収容させるブラシ５ｅを設け、その反対側には後方への種子Ｓの流れを規制するスクレーパー５ｆを設けている。
【００１５】
ホース６は口径５ｃｍで、送出機５の下端に接続し、吐出口６ａが鍬３の先端から土篩コンベヤ２に沿って３０ｃｍ後方の位置で、且つ土篩コンベヤ２の上方位置（隆起した土や拾い上げた農作物Ｐと接触しない高さ）に配置されるように配管している。
【００１６】
本実施例では、ホッパー４に種子Ｓ（肥料含む）を投入して鍬３を畦土Ｇに埋入し、エンジン１ａを始動して土篩コンベヤ２と送出機５を作動させる。走行機体１を走行させると、図３に示すように、鍬３で畦土Ｇの一部が土篩コンベヤ２の先端部に隆起しながら土中の農作物Ｐが掘り取られる。掘り取られた農作物Ｐは土篩コンベヤ２に拾い上げられて後方へ搬送され、農作物Ｐに付着している土は土篩コンベヤ２の振動や走行中の振動で振い落とされる。
【００１７】
その掘り取りと並行して、ホッパー４内の種子Ｓが送出機５でホース６に送り出され、その吐出口６ａから隆起した土上に吐出する。種子Ｓは土とともに土篩コンベヤ２の回動及び振動で混和しながら土篩コンベヤ２を通過し、畦土Ｇに落下して播種される。その後、種子Ｓが発芽して生長し、農作物Ｐを栽培しない期間中、生長した植物で表土が被覆されて土壌の流亡が防止される。
【００１８】
図４に示すのは、実施例の農作物掘取機の他の例である。図４は実施例の他の例の拡散板の説明図である。図中、７は拡散板、７ａは溝である。図４に示すように、ホース６の吐出口６ａに扇状の拡散板７を取り付けている。拡散板７には複数の溝７ａを拡散方向に形成している。これにより、種子Ｓが畦土Ｇの幅方向へ拡散して落下し、実施例と比較して掘り取り幅全体に満遍なく播種される。その他、符号と構成は実施例と同様である。
【産業上の利用可能性】
【００１９】
本発明の技術は、カバークロップ栽培だけでなく、別の農作物の播種にも応用できる。
【符号の説明】
【００２０】
１  走行機体
１ａ  エンジン
１ｂ  車輪
２  土篩コンベヤ
２ａ  駆動軸
３  鍬
４  ホッパー
５  送出機
５ａ  回転体
５ｂ  ポケット
５ｃ  ギヤ
５ｄ  チェーン
５ｅ  ブラシ
５ｆ  スクレーパー
６  ホース
６ａ  吐出口
７  拡散板
７ａ  溝
Ｇ  畦土
Ｐ  農作物
Ｓ  種子
【図１】
2012200173.tif 000003
【図２】
2012200173.tif 000004
【図３】
2012200173.tif 000005
【図４】
2012200173.tif 000006